(57)【要約】【課題】屋根構面の存在床倍率を向上させた屋根の施工方法および屋根構造体を提供する。【解決手段】略平行に配された複数の横架材と、複数の横架材に略直交して架け渡されさらに天端合わせで落とし込まれた複数の垂木とを有する第１の垂木パネルを用いた、屋根の施工方法であって、第１の垂木パネルの横架材の下面には、予めホゾ穴を穿設しておき、屋根躯体の軒桁、母屋および棟木の上面には、予め、柱脚金物を突設しておき、第１の垂木パネルのホゾ穴と、屋根躯体の柱脚金物とをそれぞれ位置合わせし、第１の垂木パネルのホゾ穴に、屋根躯体の柱脚金物を差し込み嵌合させることにより、第１の垂木パネルを屋根躯体に接合する工程、を備えることを特徴とする。【選択図】図１
2019060165.tif 000002
【特許請求の範囲】
【請求項１】
略平行に配された複数の横架材と、該複数の横架材に略直交して架け渡されさらに天端合わせで落とし込まれた複数の垂木とを有する第１の垂木パネルを用いた、屋根の施工方法であって、
前記第１の垂木パネルの前記横架材の下面には、予めホゾ穴を穿設しておき、
屋根躯体の軒桁、母屋および棟木の上面には、予め、柱脚金物を突設しておき、
前記第１の垂木パネルの前記ホゾ穴と、前記屋根躯体の前記柱脚金物とをそれぞれ位置合わせし、
前記第１の垂木パネルの前記ホゾ穴に、前記屋根躯体の前記柱脚金物を差し込み嵌合させることにより、前記第１の垂木パネルを前記屋根躯体に接合する工程、を備えることを特徴とする、屋根の施工方法。
【請求項２】
前記第１の垂木パネルを、屋根勾配と略同等の傾斜を有するように吊り上げて、
前記ホゾ穴と前記柱脚金物とが略同一直線上にある状態を保ちながら、該第１の垂木パネルを前記屋根躯体上に降ろすことにより、前記第１の垂木パネルの前記ホゾ穴に、前記屋根躯体の前記柱脚金物を差し込む、請求項１に記載の屋根の施工方法。
【請求項３】
前記第１の垂木パネルの４隅にそれぞれワイヤを取り付けてクレーンにより吊り上げ、
水上側の２隅に取り付けられた２本の前記ワイヤの長さは固定とされ、水下側の２隅に取り付けられた２本の前記ワイヤの長さは可変とされており、該水下側の２本のワイヤの長さを調整することにより、前記第１の垂木パネルの傾斜を、屋根勾配の傾斜と同等になるように調整する、請求項２に記載の屋根の施工方法。
【請求項４】
前記柱脚金物は、ホールダウンパイプである、請求項１〜３のいずれか一項に記載の屋根の施工方法。
【請求項５】
前記ホールダウンパイプは、側面部に貫通孔を有しており、
前記第１の垂木パネルの前記横架材の側面に、前記ホゾ穴に差し込まれた前記ホールダウンパイプの前記貫通孔に相当する位置に予め挿入孔を穿設しておき、
前記第１の垂木パネルの前記ホゾ穴に差し込まれた前記ホールダウンパイプに対し、前記挿入孔から、前記貫通孔にドリフトピンを差し込む、請求項４に記載の屋根の施工方法。
【請求項６】
前記屋根躯体の前記軒桁、母屋および棟木には、前記第１の垂木パネルの前記垂木の形状に合わせた断面くさび形の切欠きを形成し、前記第１の垂木パネルの前記垂木を、前記屋根躯体の前記母屋に落とし込む、請求項１〜５のいずれか一項に記載の屋根の施工方法。
【請求項７】
２枚の前記第１の垂木パネル同士が突き合わされるパネルジョイント部において、
１枚の板材に前記ホゾ穴として円孔を穿設した後、該円孔および該板材が略半分になるように、該円孔の高さ方向に割った割板材を、突き合わされる２枚の前記第１の垂木パネルの、前記パネルジョイント部側の前記母屋としてそれぞれ用いる、請求項１〜６のいずれか一項に記載の屋根の施工方法。
【請求項８】
以下の工程；
前記屋根躯体上に接合された前記第１の垂木パネル上に構造用合板を施工する工程：
前記構造用合板の上に、略平行に配された複数の横架材と、該複数の横架材間に略直交して架け渡されさらに落とし込まれた複数の垂木とを有する第２の垂木パネルを施工する工程：
前記第２の垂木パネル上に通気胴縁を施工する工程：および
前記第２の垂木パネルおよび前記通気胴縁上に野地合板を施工する工程：
をさらに備える、請求項１〜７のいずれか一項に記載の屋根の施工方法。
【請求項９】
以下の工程；
前記屋根躯体上に設置された前記第１の垂木パネルの隙間に、充填断熱材を施工する工程：および
前記構造用合板の上に設置された前記第２の垂木パネルの隙間に、充填断熱材を施工する工程：
をさらに備える、請求項８に記載の屋根の施工方法。
【請求項１０】
前記屋根躯体の前記軒桁、母屋および棟木は現場で施工し、
前記第１の垂木パネルおよび前記第２パネルは、工場で予め作製されたものを用いる。請求項１〜９のいずれか一項に記載の屋根の施工方法。
【請求項１１】
略平行に配された複数の横架材と、該複数の横架材間に略直交して架け渡されさらに天端合わせで落とし込まれた複数の垂木とを有し、屋根躯体上に設置された第１の垂木パネル、を備え、
前記第１の垂木パネルの前記横架材の下面に穿設されたホゾ穴に、前記屋根躯体側の軒桁、母屋および棟木の上面に突設された柱脚金物が嵌合されることにより、前記第１の垂木パネルが前記屋根躯体に接合されていることを特徴とする、屋根構造体。
【請求項１２】
前記屋根躯体上に設置された前記第１の垂木パネル上に配され、釘またはビスで固定された構造用合板と、
略平行に配された複数の横架材と、該複数の横架材に略直交して架け渡されさらに落とし込まれた複数の垂木とを有し、前記構造用合板の上に配された第２の垂木パネルと、
前記第２の垂木パネル上に配された通気胴縁と、
前記第２の垂木パネルおよび前記通気胴縁上に配された野地合板と、をさらに備える、請求項１１に記載の屋根構造体。
【請求項１３】
前記第１の垂木パネルおよび前記第２の垂木パネルの隙間に、充填断熱材が配されている、請求項１２に記載の屋根構造体。
【請求項１４】
請求項１１〜請求項１３のいずれか一項に記載の屋根構造体を備えた家屋。
【発明の詳細な説明】
【技術分野】
【０００１】
本発明は、屋根の施工方法および屋根構造体に関する。
【背景技術】
【０００２】
屋根を形作る骨組で、屋根面を支える構造を小屋組という。小屋組は、屋根ふき材・天井・積雪荷重などの鉛直荷重を支え軸組へ伝達するものであると同時に、建物を一体化し、水平力を分散させる働きをする。
小屋組には和小屋組として、和小屋方式および登り梁方式が挙げられる。
【０００３】
和小屋方式では、軒桁に小屋梁を架け渡し、その上に小屋束を立て母屋・棟木をのせる。母屋・垂木の上に屋根勾配に従って垂木を掛け、その上に屋根ふき材の下地である野地合板を貼る（特許文献１参照）。屋根荷重は、構造部材を通じて小屋梁に集まり、梁の曲げ強度によって全体を支える仕組みであり、存在床倍率は低い。
【０００４】
登り梁方式では、軒桁から棟木の間を省略して、勾配方向に平角材の登り梁を３尺（９１０ｍｍ）ピッチで架けて、構造用合板（２４ｍｍ〜３０ｍｍ厚）を直張りする（特許文献２参照）。登り梁方式は、勾配天井やロフトなどの室内空間の有効利用の点と施工の合理化の点から普及が進んでいる。存在床倍率は高い。
【先行技術文献】
【特許文献】
【０００５】
【特許文献１】特開平１０−００８５６４号公報
【特許文献２】特開２０１７−０４００７０号公報
【発明の概要】
【発明が解決しようとする課題】
【０００６】
上述したような従来の工法において、屋根は軒桁〜棟梁（横架材）に垂木を転ばし（桁、母屋、梁の上に垂木を一定間隔で置く）または、半欠き（桁、母屋、梁を半分欠き込み、垂木を半分落とし込む）の上に構造用合板を貼るという、床倍率の低い組み方が取られており、且つ屋根構面を釘で躯体に接合するため、床剛性の伝達も低減されてしまう。
【０００７】
そして、住宅の耐震性に関して、品確法の耐震等級では壁の性能以外に、水平構面の性能を担保する必要があり、下式を満足することが必要である。
必要床倍率（条件）≦存在床倍率（実力）
１階および２階の床構面は９１０ｍｍ間隔で床梁が組まれ、上端に厚い構造合板を貼る存在床倍率の高い工法をとる剛床のため、問題なく、存在床倍率が必要床倍率を上回る。
【０００８】
Ｒ階の存在床倍率は（Ｒ階床構面の床倍率＋屋根構面の床倍率）で評価する。Ｒ階床構面は吹き抜け、勾配天井等の天井高確保のため、Ｒ階床構面の全てには構造合板を貼りたくない場合もある。
【０００９】
しかし、住宅の耐震性に関する基準において、屋根構面だけでは存在床倍率が足らず、Ｒ階床構面に構造合板を貼るのが一般的である。構造合板を貼るために、合板下地として根太、梁を入れる材料、手間も必要となっている。
【００１０】
このように、従来の工法では、屋根構面の存在床倍率だけでは必要床倍率を満たすことができないため、Ｒ階床構面の必要床倍率をクリアすることが困難であった。その結果、Ｒ階床構面に一定間隔で床根太を掛け構造合板を貼るか、９１０ｍｍ間隔で床梁を掛け厚い構造合板を貼る、または断面の大きい火打梁を掛けるなどの他、天井高さも制限されるなど、意匠制限を受けることになる（図１６の右側参照）。
【００１１】
本発明は、このような従来の実情に鑑みて提案されたものであり、本発明の目的は、屋根構面の存在床倍率を向上させた屋根の施工方法および屋根構造体を提供することにある。
【課題を解決するための手段】
【００１２】
本発明者らは、上記目的を達成するために鋭意検討した結果、軒桁〜上母屋〜棟梁に垂木を落とし込む、存在床倍率の高い組み方をした下垂木パネルを用い、下垂木パネルの屋根躯体へ接合方法として、釘ではなく柱脚金物（壁柱脚用接合金物）を用いることで上記目的を達成できることに想到し、本発明を完成させるに至った。すなわち、本発明は以下のとおりである。
［１］
略平行に配された複数の横架材と、該複数の横架材に略直交して架け渡されさらに天端合わせで落とし込まれた複数の垂木とを有する第１の垂木パネルを用いた、屋根の施工方法であって、
前記第１の垂木パネルの前記横架材の下面には、予めホゾ穴を穿設しておき、
屋根躯体の軒桁、母屋および棟木の上面には、予め、柱脚金物を突設しておき、
前記第１の垂木パネルの前記ホゾ穴と、前記屋根躯体の前記柱脚金物とをそれぞれ位置合わせし、
前記第１の垂木パネルの前記ホゾ穴に、前記屋根躯体の前記柱脚金物を差し込み嵌合させることにより、前記第１の垂木パネルを前記屋根躯体に接合する工程、を備えることを特徴とする、屋根の施工方法。
［２］
前記第１の垂木パネルを、屋根勾配と略同等の傾斜を有するように吊り上げて、
前記ホゾ穴と前記柱脚金物とが略同一直線上にある状態を保ちながら、該第１の垂木パネルを前記屋根躯体上に降ろすことにより、前記第１の垂木パネルの前記ホゾ穴に、前記屋根躯体の前記柱脚金物を差し込む、［１］に記載の屋根の施工方法。
［３］
前記第１の垂木パネルの４隅にそれぞれワイヤを取り付けてクレーンにより吊り上げ、
水上側の２隅に取り付けられた２本の前記ワイヤの長さは固定とされ、水下側の２隅に取り付けられた２本の前記ワイヤの長さは可変とされており、該水下側の２本のワイヤの長さを調整することにより、前記第１の垂木パネルの傾斜を、屋根勾配の傾斜と同等になるように調整する、［２］に記載の屋根の施工方法。
［４］
前記柱脚金物は、ホールダウンパイプである、［１］〜［３］のいずれかに記載の屋根の施工方法。
［５］
前記ホールダウンパイプは、側面部に貫通孔を有しており、
前記第１の垂木パネルの前記横架材の側面に、前記ホゾ穴に差し込まれた前記ホールダウンパイプの前記貫通孔に相当する位置に予め挿入孔を穿設しておき、
前記第１の垂木パネルの前記ホゾ穴に差し込まれた前記ホールダウンパイプに対し、前記挿入孔から、前記貫通孔にドリフトピンを差し込む、［４］に記載の屋根の施工方法。
［６］
前記屋根躯体の前記軒桁、母屋および棟木には、前記第１の垂木パネルの前記垂木の形状に合わせた断面くさび形の切欠きを形成し、前記第１の垂木パネルの前記垂木を、前記屋根躯体の前記母屋に落とし込む、［１］〜［５］のいずれかに記載の屋根の施工方法。
［７］
２枚の前記第１の垂木パネル同士が突き合わされるパネルジョイント部において、
１枚の板材に前記ホゾ穴として円孔を穿設した後、該円孔および該板材が略半分になるように、該円孔の高さ方向に割った割板材を、突き合わされる２枚の前記第１の垂木パネルの、前記パネルジョイント部側の前記母屋としてそれぞれ用いる、［１］〜［６］のいずれかに記載の屋根の施工方法。
［８］
以下の工程；
前記屋根躯体上に接合された前記第１の垂木パネル上に構造用合板を施工する工程：
前記構造用合板の上に、略平行に配された複数の横架材と、該複数の横架材間に略直交して架け渡されさらに落とし込まれた複数の垂木とを有する第２の垂木パネルを施工する工程：
前記第２の垂木パネル上に通気胴縁を施工する工程：および
前記第２の垂木パネルおよび前記通気胴縁上に野地合板を施工する工程：
をさらに備える、［１］〜［７］のいずれかに記載の屋根の施工方法。
［９］
以下の工程；
前記屋根躯体上に設置された前記第１の垂木パネルの隙間に、充填断熱材を施工する工程：および
前記構造用合板の上に設置された前記第２の垂木パネルの隙間に、充填断熱材を施工する工程：
をさらに備える、［８］に記載の屋根の施工方法。
［１０］
前記屋根躯体の前記軒桁、母屋および棟木は現場で施工し、
前記第１の垂木パネルおよび前記第２パネルは、工場で予め作製されたものを用いる。［１］〜［９］のいずれかに記載の屋根の施工方法。
［１１］
略平行に配された複数の横架材と、該複数の横架材間に略直交して架け渡されさらに天端合わせで落とし込まれた複数の垂木とを有し、屋根躯体上に設置された第１の垂木パネル、を備え、
前記第１の垂木パネルの前記横架材の下面に穿設されたホゾ穴に、前記屋根躯体側の軒桁、母屋および棟木の上面に突設された柱脚金物が嵌合されることにより、前記第１の垂木パネルが前記屋根躯体に接合されていることを特徴とする、屋根構造体。
［１２］
前記屋根躯体上に設置された前記第１の垂木パネル上に配され、釘またはビスで固定された構造用合板と、
略平行に配された複数の横架材と、該複数の横架材に略直交して架け渡されさらに落とし込まれた複数の垂木とを有し、前記構造用合板の上に配された第２の垂木パネルと、
前記第２の垂木パネル上に配された通気胴縁と、
前記第２の垂木パネルおよび前記通気胴縁上に配された野地合板と、をさらに備える、［１１］に記載の屋根構造体。
［１３］
前記第１の垂木パネルおよび前記第２の垂木パネルの隙間に、充填断熱材が配されている、［１２］に記載の屋根構造体。
［１４］
［１１］〜［１３］のいずれかに記載の屋根構造体を備えた家屋。
【発明の効果】
【００１３】
本発明によれば、屋根構面の存在床倍率を向上させた、屋根構造およびその施工方法を提供することができる。その結果、Ｒ階床構面に意匠制限を受けず、勾配天井や吹き抜け等、自由に天井高さを設定することができる。
【図面の簡単な説明】
【００１４】
【図１】本発明で用いられる下垂木パネルの一構成例を示す斜視図である。
【図２】下垂木パネルの下側を示す図であり、下垂木パネルにホゾ穴が形成されている状態を示す図である。
【図３】下垂木パネルのパネルジョイント部における割母屋の構成を示す図である。
【図４】本発明で用いられる上垂木パネルの一構成例を示す斜視図である。
【図５】屋根躯体を施工した状態を示す図である。
【図６】屋根躯体上に下垂木パネルを施工する状態を示す図である。
【図７】下垂木パネルを吊り上げた状態を示す図である。
【図８】屋根躯体側の柱脚金物を、下垂木パネル側のホゾ穴に挿入する状態を示す図である。
【図９】下垂木パネルの隙間に充填断熱材を施工した状態を示す図である。
【図１０】下垂木パネル上に構造用合板を施工した状態を示す図である。
【図１１】構造用合板上に上垂木パネルを施工した状態を示す図である。
【図１２】上垂木パネルの隙間に充填断熱材を施工した状態を示す図である。
【図１３】上垂木パネル上に通気胴縁を施工した状態を示す図である。
【図１４】通気胴縁上に野地合板を施工した状態を示す図である。
【図１５】本発明に係る屋根構造体の一構成例を下側から見た図である。
【図１６】従来と本発明の屋根構造による、天井の設計自由度を比較した図である。
【発明を実施するための形態】
【００１５】
以下、本発明の実施の形態について、図面を参照しながら説明する。
＜屋根パネル＞
ます、本実施形態の屋根構造体および施工方法で用いられる、屋根パネルについて説明する。
本実施形態に係る屋根構造体１は、下垂木パネル１０（第１の垂木パネル）と上垂木パネル２０（第２の垂木パネル）との２層垂木構造を有している。下垂木パネル１０は主に構造性能に寄与しており、上垂木パネル２０は主に意匠・断熱性能に寄与している。
【００１６】
（下垂木パネル）
図１は、本実施形態で用いられる下垂木パネルの一構成例を示す斜視図である。
下垂木パネル１０は、略平行に配された複数の横架材１１と、該複数の横架材１１に略直交して架け渡されるとともに、該複数の横架材１１に落とし込まれた、複数の垂木１２とを有する。
下垂木パネル１０では、垂木１２が、複数の横架材１１に、天端合わせで落とし込まれている。これらの複数の横架材１１は、それぞれ、軒桁、母屋および棟木に相当する。垂木１２を横架材１１に落とし込むことで、単に垂木を横架材に転ばして釘留めしている従来の工法に比べて、存在床倍率およびせん断耐力を高くすることができる。図１に示す例では、横架材１１に大入れ加工を施し、垂木１２を母屋１０４に水平距離で１５ｍｍ程度飲み込ませている。
【００１７】
図２は、下垂木パネルの下側（屋根躯体に接合される側）を示す図である。
下垂木パネル１０において、横架材１１の下面には柱脚金物１１０用のホゾ穴１５を予め穿設しておき、側面にはドリフトピン１１１用の横穴１６を、ホゾ穴１５に連通するように予め穿設しておく。具体的には後述するが、ホゾ穴１５は、下垂木パネル１０を屋根躯体１００に設置する際に、屋根躯体１００側に設けられた柱脚金物１１０を挿すための穴であり、横穴１６は、ホゾ穴１５に差し込まれた柱脚金物１１０に対しドリフトピン１１１を打ち込むために、ドリフトピン１１１が挿入される穴（挿入孔）である。
【００１８】
（パネルジョイント部）
図３は、下垂木パネルのパネルジョイント部における割母屋を示す図である。
２枚の下垂木パネル１０同士が突き合わされ接合されるパネルジョイント部において、横架材１１（母屋）は割母屋とし、通常の半分の幅とする。すなわち、図３（ａ）に示すように１枚の板材１８にパイプ用の円孔（ホゾ穴１５）を穿設した後、図３（ｂ）に示すように円孔および板材が半分になるように、縦方向（円孔の高さ方向）に割ったものを、突き合わされる２枚の下垂木パネル１０のパネルジョイント部側の横架材１１（母屋）としてそれぞれ用いる（割母屋）。この割母屋に対し、垂木１２を水平距離で１５ｍｍ飲み込ませ、大入れ加工する。
【００１９】
２枚の板にそれぞれ断面半円形状の窪みを形成し、合わせて円形状の孔を形成しようとすると、窪みの位置および形状を完全に合わせて円形の孔とすることは困難である。１枚の板（横架材１１）に円形状の孔（ホゾ穴１５）を穿設してから、該孔が半分（半円）になるように板を割ることで、後で２枚の板を合わせたときに、より完全な円形の孔を、容易かつ確実に形成することができる。
【００２０】
すなわち、パネルジョイント部において突き合わされる２枚の母屋は、別々の板材ではなく、元々は１枚の板材であったものを２枚に割ったもの（割母屋）をそれぞれ用いる。柱脚金物１１０を両側から、２枚の下垂木パネル１０の割母屋で挟み込み、ドリフトピン１１１で固定することにより、割母屋を一体化する。
それぞれの割母屋１０４を構成する、割った後の２枚の板材の厚みもほぼ同様となるように、円孔は、割母屋を構成する板材の厚み方向の中心線と、円孔の直径とがほぼ同一となるように穿設することが好ましい。
【００２１】
（上垂木パネル）
図４は、本実施形態で用いられる上垂木パネルの一構成例を示す斜視図である。
上垂木パネル２０は、略平行に配された複数の横架材２１（軒桁、母屋および棟木に相当）と、該横架材２１間に略直交して架け渡され、天端合わせで落とし込まれた複数の垂木２２とを有する。
上垂木パネル２０は、野地合板６０の下地となるため、垂木２２を例えば９１０ｍｍピッチで配置する（けらば部では、けらば転びが下地を兼ねる。）けらば垂木の支点の有無によって、適宜、垂木２２を追加する。
【００２２】
このような屋根パネル（下垂木パネル１０および上垂木パネル２０）は、工場で予め作製されたものを現場に持ち込んで施工する。これにより現場での作業負担を低減することができる。
下垂木パネル１０および上垂木パネル２０の大きさは、搬送の効率を考えて、トラックに乗る大きさとすることが好ましい。具体的には例えば、横１８２０ｍｍ×縦３６４０〜５６４０ｍｍ程度とする。
【００２３】
＜屋根の施工方法＞
次に、上述したような屋根パネル（下垂木パネル１０および上垂木パネル２０）を用いた、本実施形態の屋根の施工方法について説明する。
本実施形態の屋根の施工方法は、和小屋方式と登り梁方式を組み合わせた工法である。すなわち、小屋組の一部を工場でパネル化し、屋根躯体上に設置および固定する。
【００２４】
（１）図５に示すように、屋根躯体１００の軒桁１０３、母屋１０４、棟木１０５までを現場で施工する。
屋根躯体１００は従来の和小屋方式と同じく、軒桁１０３、母屋１０４、棟木１０５までを現場で施工する。すなわち、小屋梁１０１の上に小屋束１０２を立て、軒桁１０３、母屋１０４および棟木１０５を架ける。
従来の和小屋方式では、軒桁、母屋および棟木（棟梁）の上に垂木を配していくが、本実施形態では、垂木の代わりに、予め工場でユニット化された屋根パネル（下垂木パネル１０および上垂木パネル２０）をクレーンで吊り下ろし、屋根躯体１００（軒桁１０３、母屋１０４および棟木１０５）上に設置および固定する。
屋根躯体１００を構成する軒桁１０３、母屋１０４および棟木１０５と、下垂木パネル１０の垂木１２とが交差する部分は、垂木１２の形状に合わせて、例えば断面くさび形状の欠きこみ１０８を形成しておくことが好ましい。屋根躯体１００上に下垂木パネル１０を施工する際に、下垂木パネル１０の垂木１２に屋根躯体１００の軒桁１０３、母屋１０４および棟木１０５の欠きこみ１０８に落とし込むことで、強度を増すことができる。
【００２５】
また、図２および図５に示すように、屋根躯体１００を構成する軒桁１０３、母屋１０４および棟木１０５には、その上面に、一定の間隔で柱脚金物１１０を突設しておく。
本実施形態において、柱脚金物１１０は、例えばホールダウンパイプである。ホールダウンパイプは、金属製の円筒状の部材であり、通常、市販されている鋼管を切断したものが用いられる。このホールダウンパイプは、下端に、引付ボルトに螺合する雌ねじが切られており、また、雌ねじの上方の二箇所に、真上から見て直交する向きに貫通孔が穿設されている。これ以外にも、一般的に柱脚金物として用いられている金物、パイプ、ピン等を適宜選択して用いることができる。
【００２６】
（２）図６に示すように、屋根躯体１００上に、下垂木パネル１０を吊り上げる。
本実施形態の下垂木パネル１０は４隅を支点にして吊り上げられ、屋根躯体１００上に設置される。このとき、下垂木パネル１０の勾配を、施工される屋根勾配と略同等の傾斜を有するように吊り上げ、母屋１０４に対して略垂直に降ろす。
予め屋根パネルの吊り上げ角度を調整しておき、下垂木パネル１０のホゾ穴１５と、屋根躯体１００の柱脚金物１１０とが略同一直線上にある状態を保ちながら、略垂直に、下垂木パネル１０を屋根躯体１００上に降ろすことで、下垂木パネル１０側の横架材１１（母屋）の下面のホゾ穴１５と、躯体側のピン（柱脚金物１１０）とをまっすぐに合わせて差し込むことができる。
【００２７】
図７は、本実施形態の下垂木パネル１０を釣り上げた状態を示す図である。
この下垂木パネル１０には、４隅にそれぞれワイヤ８０ａ〜８０ｄが取り付けられ、該４隅を支点にして、クレーン（図示略）を用いて吊り上げられる。
水上側の２箇所は短い同一長さのワイヤ８０ａ，８０ｂ（チェーン）を使用する。水下側の２箇所はワイヤ８０ｃ，８０ｄの先端に例えばチェーンブロック９０を介し、ワイヤ長さ調整を現場で自由に変更可能とした。
これにより、水上側の２箇所ではワイヤ８０ａ，８０ｂの長さが固定されているが、水下側の２箇所ではワイヤの長さを調整できることから、水下側のワイヤ８０ｃ，８０ｄの長さを短くする（水上側のワイヤ長さに近づける）ことで緩勾配に調整でき、水下側の長さを長くすることで急勾配に調整することができる。施工される屋根勾配と略同等の勾配となるように、パネル（下垂木パネル１０）の勾配を調整して吊り上げる。
【００２８】
（２）図８に示すように、屋根躯体１００上に、下垂木パネル１０を接合し固定する。
本実施形態では、屋根躯体１００と下垂木パネル１０との接合には、釘ではなく、柱脚金物１１０を用いたピン工法を採用している。
屋根躯体１００を構成する軒桁１０３、母屋１０４および棟木１０５には、その上面に、一定の間隔で柱脚金物１１０が突設されている。
一方、下垂木パネル１０の横架材１１の下面にはホゾ穴１５が、側面には横穴１６が、予め形成されている。ホゾ穴１５は、下垂木パネル１０を屋根躯体１００に設置する際に、躯体側に設けられた柱脚金物１１０を挿すための穴であり、横穴１６は、ホゾ穴１５に差し込まれた柱脚金物１１０に対しドリフトピン１１１を打ち込むために、ドリフトピン１１１が挿入される穴（挿入孔）である。
屋根パネルを屋根躯体１００上に設置する際には、この屋根躯体１００側の柱脚金物１１０と、屋根パネル側のホゾ穴１５とを位置合わせして差し込み、側面からドリフトピン１１１を差し込んで固定する。具体的には例えば、ホゾ穴１５に差し込まれたホールダウンパイプ（柱脚金物１１０）の貫通孔に対し、横穴１６からドリフトピン１１１を挿入して固定する。
【００２９】
従来の工法では、クレーン等で屋根パネルを吊り下げながら傾斜合わせおよび位置合わせ等の作業を実施しなければならず、施工性が極めて悪く、更に安全性にも問題があった。
これに対し本実施形態では、下垂木パネル１０が、施工される屋根勾配と略同等の傾斜を有するように吊り上げ、ホゾ穴１５と柱脚金物１１０とが略同一直線上にある状態を保ちながら、下垂木パネル１０を屋根躯体１００上に降ろすことにより、下垂木パネル１０のホゾ穴１５に、屋根躯体１００の柱脚金物１１０を差し込む。
下垂木パネル１０が、施工される屋根勾配と略同等の傾斜を有するように吊り上げ、屋根躯体１００の母屋１０４に対して略垂直に降ろすことで、パネル側の母屋１０４の下端のホゾ穴１５と、屋根躯体１００側の柱脚金物１１０とをまっすぐに合わせて差し込むことができる。また、柱脚金物１１０とホゾ穴１５との位置合わせをするだけで、パネル全体の位置決めができるので、現場での作業性および安全性を向上することができる。
パネルジョイント部においては、２枚の下垂木パネル１０の割母屋で柱脚金物１１０を挟み込み、ドリフトピン１１１で固定することにより、割母屋を一体化する。
【００３０】
例えば下垂木パネル１０の配置基準は、けらば側では、登り梁を芯合わせして配置し、中間部では割母屋を芯合わせして配置し、下垂木パネル１０の幅方向でのジョイント部では、下垂木パネル１０の外側面同士を芯合わせして配置する。
さらに、下垂木パネル１０を釘またはビスにより屋根躯体１００上に固定することが好ましい。下垂木パネル１０の釘またはビス打ちについて、下垂木パネル１０の垂木１２と母屋１０４との接合には、両側から１本ずつ打ち込む、または、片側から２本打ち込んでもよい。また、登り梁と横架材１１（母屋）との接合も、両側から１本ずつ打ち込む、または、片側から２本打ち込んでもよい。
【００３１】
（下垂木パネルの組み方と構造強度との関係）
ここで、本実施形態において、下垂木パネル１０の組み方が構造強度に寄与する理由について説明する。
本実施形態の屋根構造体１は、下垂木パネル１０と上垂木パネル２０との上下２層構造を有しており、下垂木パネル１０は横架材１１（軒桁、母屋および棟木）に垂木１２を天端合わせで落とし込み、構造用合板４０を貼るという、最も床倍率の高い組み方をしている。さらに、下垂木パネル１０の屋根躯体１００への接合方法には、従来工法のような釘またはビスではなく、柱脚金物１１０を用いている。
このため、本実施形態の屋根構造体１は、屋根に通常必要な引張力だけでなく、せん断耐力も有している。柱脚金物１１０を用いて接合することで、釘またはビスを用いた場合よりもせん断耐力が高く、屋根構面として建物全体の剛性を確保できる。
【００３２】
なお、後述する上垂木パネル２０も剛性に多少は寄与しているが、構造計算では効果を除外している。上垂木パネル２０は、主として、屋根構体の意匠および断熱性能に寄与する。
このように、本実施形態の屋根構造体１によれば、屋根構面の存在床倍率だけで、Ｒ階の必要床倍率を満足することができる。その結果、本実施形態に係る屋根パネル（下垂木パネル１０および上垂木パネル２０）を利用することで、Ｒ階の必要床倍率を満足するため、Ｒ階床構面に意匠制限を受けず、最上階に勾配天井や吹き抜けを設ける等、自由に天井高さを設定することができる。
【００３３】
（３）図９に示すように、屋根躯体１００上に接合された下垂木パネル１０の隙間に、充填断熱材３０を施工する。
充填断熱材３０は、住宅建物の断熱材として通常用いられているものを用いることができる。
なお、本明細書において、「下垂木パネル１０の隙間」とは、下垂木パネル１０を構成する、複数の横架材１１と複数の垂木１２とで囲まれた空間のことをいう。後述する「上垂木パネル２０の隙間」も同様である。
充填断熱材３０は、下垂木パネル１０の隙間の大きさに合わせて、予め工場にて切断（プレカット）しておいてもよい。
【００３４】
（４）図１０に示すように、前記屋根躯体１００上に接合された下垂木パネル１０上に構造用合板４０を施工する。
屋根躯体１００上に接合された下垂木パネル１０上に構造用合板４０を配置し、釘またはビスで固定する。
垂木１２の方向（縦方向）と略直交する方向（横方向）に、構造用合板４０を、互いに芯合わせして並べて配し、釘またはビスにより固定する。
【００３５】
（５）図１１に示すように、構造用合板４０の上に上垂木パネル２０を施工する。
構造用合板４０の上に上垂木パネル２０を配置し、釘またはビスで固定する。この上垂木パネル２０は、主に屋根の意匠、断熱性能に寄与する。
外壁上部には、垂木１２転び、けらば転びを設置する。軒側壁芯と構造用合板４０の上端との交差部を、けらば垂木の配置基準線とし、この配置基準線をけらば垂木の水上側に合わせて、上垂木パネル２０を配していく。上垂木パネル２０の配置基準として、けらば側と中間部では芯合わせし、パネルジョイント部では、上垂木パネル２０の外側面を合わせる。軒とけらばが交差する箇所では、けらばを優先する。
【００３６】
上垂木パネル２０の釘またはビス打ちについて、垂木２２と転びの部分は、両側から１本ずつ打ち込む、または、片側から２本打ち込んでもよい。また、けらばとけらば転びの部分も、両側から１本ずつ打ち込む、または、片側から２本打ち込んでもよい。
【００３７】
（６）図１２に示すように、上垂木パネル２０の隙間に、充填断熱材３１を施工する。
上垂木パネル２０、転び止めの隙間に充填断熱材３１を施工する。この充填断熱材３０は、家屋の居室部分の直上部分のみであってよい。
充填断熱材３１は、住宅建物の断熱材として通常用いられているものを用いることができる。
充填断熱材３１は、上垂木パネル２０の隙間の大きさに合わせて、予め工場にて切断（プレカット）しておいてもよい。
下垂木パネル１０の隙間と、上垂木パネル２０の隙間とに充填断熱材３０，３１を配することで、断熱材が上下二重に充填されることになり、屋根の断熱性能を高めることができる。
【００３８】
（７）図１３に示すように、第２の垂木パネル２０の上に通気胴縁５０を施工する。
上垂木パネル２０と下垂木パネル１０の上部に、所定の間隔（例えば４５５ｍｍピッチ）で通気胴縁５０を配置する。
後工程（８）で施工される野地合板６０の短辺方向にも、野地合板６０の下地として通気胴縁５０を配置する。野地合板６０の短辺方向において、通気を確保するために、両側の所定幅を開けておく。野地合板６０の外周の下地レベルが揃うように通気胴縁５０を配置する。なお、けらば側では、野地合板６０の端部直下に下地がないため、通気胴縁５０を縦に追加で配置してもよい。
転びの通気胴縁５０は、沿えるだけで固定はしない。
上垂木パネル２０のパネルジョイント部においては、通気胴縁５０を内側にずらして施工する。これによりパネル施工後にガスケットを入れるための隙間を確保する。
【００３９】
（８）図１４に示すように、第２の垂木パネル２０および通気胴縁５０上に野地合板６０を施工する。
第２の垂木パネル２０および通気胴縁５０上に野地合板６０を配置し、釘またはビスで固定する。
垂木１２の方向（縦方向）に、構造用合板４０を、野地合板６０を互いに芯合わせして並べて配し、釘またはビスにより固定する（縦貼り）。
野地合板６０は通気胴縁５０と同じく、パネルジョイント部から所定寸法だけ（例えば５ｍｍ）内側にずらした位置を基準に施工する。
野地合板６０の出寸法は、鼻隠し下地、破風下地の外面から伸ばすこととする。
【００４０】
（９）野地合板６０上に屋根上葺き材を施工する。
野地合板６０の上面に、瓦、スレート、金属板等の屋根上葺き材（図示略）を配置し釘またはビスで固定する。
なお、上葺き材の施工に先立って、野地合板６０の表面に防水機能を主たる目的とした屋根下葺き材と呼ばれる、例えば現在主流であるアスファルトルーフィングまたは合成高分子系シートを敷設してもよい。
これにより図１５に示すような屋根構造体１として完成する。
【００４１】
上述したような工法により施工される屋根構造体１は、下垂木パネル１０は、略平行に配された複数の横架材１１と、該複数の横架材１１に略直交して架け渡されるとともに、該複数の横架材１１に落とし込まれた、複数の垂木１２とを有し、屋根躯体１００上に設置された下垂木パネル１０、を備え、下垂木パネル１０の横架材１１の下面に穿設されたホゾ穴１５に、屋根躯体１００側の軒桁１０３、母屋１０４および棟木１０５の上面に突設された柱脚金物１１０が嵌合されることにより、下垂木パネル１０が屋根躯体１００に接合されている。
【００４２】
屋根構造体１は、さらに、下垂木パネル１０上に配され、釘またはビスで固定された構造用合板４０と、略平行に配された複数の横架材１１と、該複数の横架材１１間に略直交して架け渡された複数の垂木１２とを有し、構造用合板４０の上に配された上垂木パネル２０と、上垂木パネル２０上に配された通気胴縁５０と、上垂木パネル２０および通気胴縁５０上に配された野地合板６０と、をさらに備える。
【００４３】
本実施形態の屋根構造体１において、下垂木パネル１０および上垂木パネル２０の隙間に、充填断熱材３０，３１が配されていることが好ましい。断熱材が二重に充填されることになり、屋根の断熱性能を高めることができる。
【００４４】
本実施形態の屋根構造体１では、下垂木パネル１０と上垂木パネル２０との上下２層構造を有しており、下垂木パネル１０は複数の横架材１１（軒桁〜母屋〜棟木）に垂木１２を落とし込み、構造用合板４０を貼るという、床倍率の高い組み方をしている。さらに、下垂木パネル１０の屋根躯体１００への接合には、従来のような釘またはビスではなく、柱脚金物１１０を用いている。
【００４５】
このため、本実施形態の屋根構造体１は、屋根に通常必要な引張力だけでなく、せん断耐力も有している。柱脚金物１１０を用いて接合することで、釘を用いた場合よりもせん断耐力が高く、屋根構面として建物全体の剛性を確保できる。
したがって、本実施形態の屋根構造体１および該屋根構造体１を備えた家屋によれば、屋根構面の存在床倍率だけで、Ｒ階の必要床倍率を満足することができる。
【００４６】
これにより、図１６の左側に示すように、本実施形態の屋根構造体１を備えた家屋によれば、Ｒ階床構面に意匠制限を受けず、最上階に勾配天井や吹き抜けを設ける等、自由に天井高さを設定することができる。なお、図１６の右側は、従来の屋根構造体１を示す図であり、Ｒ階床構面に意匠制限を受けるため、最上階に勾配天井や吹き抜けを設ける等、自由に天井高さを設定することが困難であった。
【００４７】
以上、本発明の実施の形態について説明してきたが、本発明はこれに限定されるものではなく、発明の趣旨を逸脱しない範囲で適宜変更可能である。
【産業上の利用可能性】
【００４８】
本発明による屋根の施工方法および屋根構造体を用いることで、屋根構面の存在床倍率だけで、Ｒ階の必要床倍率を満足するため、Ｒ階床構面に意匠制限を受けず、勾配天井や吹き抜けなどを設けることができ、住宅屋根の施工方法および屋根構造体として広く利用することができる。
【符号の説明】
【００４９】
１    屋根構造体
１０    下垂木パネル（第１の垂木パネル）
１１    横架材
１２    垂木
１５    ホゾ穴
１６    横穴
２０    上垂木パネル（第２の垂木パネル）
２１    横架材
２２    垂木
３０，３１    充填断熱材
４０    構造用合板
５０    通気胴縁
６０    野地合板
１００    屋根躯体
１０３    軒桁
１０４    母屋
１０５    棟木
１１０    柱脚金物
１１１    ドリフトピン
【図１】
2019060165.tif 000003
【図２】
2019060165.tif 000004
【図３】
2019060165.tif 000005
【図４】
2019060165.tif 000006
【図５】
2019060165.tif 000007
【図６】
2019060165.tif 000008
【図７】
2019060165.tif 000009
【図８】
2019060165.tif 000010
【図９】
2019060165.tif 000011
【図１０】
2019060165.tif 000012
【図１１】
2019060165.tif 000013
【図１２】
2019060165.tif 000014
【図１３】
2019060165.tif 000015
【図１４】
2019060165.tif 000016
【図１５】
2019060165.tif 000017
【図１６】
2019060165.tif 000018